(57)【要約】【課題】防水ケースの外側を覆う外装ケースを備える筐体構造において、静電センサを設けても、水による誤作動を防止して、タッチセンサとしての機能を確保する。【解決手段】電子部品を内蔵した防水ケース２と、その防水ケース２を覆う外装ケース１と、を備え、防水ケース２内に静電センサ３２が設けられており、防水ケース２と外装ケース１との間には、静電センサ３２に対応する位置を含む密閉された密閉領域３４が形成されている。静電センサ３２に対応する位置は、静電センサ３２に向かい合った部分である。さらに、密閉領域３４には、防水ケース２の外側と外装ケース１の内側との間に密着する弾性部材３６が設けられている。そして、防水ケース２内で静電センサ３２の近傍に発光部３３が配置されている。防水ケース２には、密閉領域３４の内側に位置して静電センサ３２及び発光部３３を囲むドーム形状部３５が形成されている。【選択図】図４
2018049917.tif 000002
【特許請求の範囲】
【請求項１】
電子部品を内蔵した防水ケースと、前記防水ケースを覆う外装ケースと、を備え、
前記防水ケース内に静電センサが設けられており、
前記防水ケースと前記外装ケースとの間には、前記静電センサに対応する位置を含む密閉された密閉領域が形成されていることを特徴とする電子機器。
【請求項２】
前記静電センサに対応する位置は、前記静電センサに向かい合った部分であることを特徴とする請求項１に記載の電子機器。
【請求項３】
前記密閉領域には、前記防水ケースの外側と前記外装ケースの内側との間に密着する弾性部材が設けられていることを特徴とする請求項１または２に記載の電子機器。
【請求項４】
前記防水ケース内で前記静電センサの近傍に発光部が配置されていることを特徴とする請求項１から３のいずれか一項に記載の電子機器。
【請求項５】
前記防水ケースには、前記密閉領域の内側に位置して前記静電センサ及び発光部を囲むドーム形状部が形成されていることを特徴とする請求項４に記載の電子機器。
【請求項６】
前記外装ケースが、半透光性の素材により形成されていることを特徴とする請求項１から５のいずれか一項に記載の電子機器。
【請求項７】
前記弾性部材が、半透光性の素材により形成されていることを特徴とする請求項３から６のいずれか一項に記載の電子機器。
【請求項８】
前記防水ケースの頭頂部に前記静電センサ及び前記発光部が配置されて、
前記外装ケースの頭頂部を人体がタッチすると、前記半透光性素材による前記外装ケース及び前記弾性部材を通して前記静電センサが感応し、
前記発光部からの光が前記半透光性素材による前記弾性部材を通って前記外装ケースの頭頂部に拡散して浮かび上がることを特徴とする請求項７に記載の電子機器。
【発明の詳細な説明】
【技術分野】
【０００１】
本発明は、電子部品を内蔵した防水ケースを覆う外装ケースを備える電子機器に関する。
【背景技術】
【０００２】
特許文献１において、キーシートにキーカバーを積層したキーボードと、このキーボードが上面に配置される上ケースと、この上ケースが取り付けられる下ケースとを備える携帯型電子機器のケース構造が開示されている。
そして、上ケースは、硬質の合成樹脂からなる枠状ケース部と、弾性を有する軟質の合成樹脂からなる弾性シート部と、を有している。弾性シート部は、枠状ケース部の内側を塞いだ状態で２色成形によって一体に形成されている。その弾性シート部には、下ケースに対して圧接する防水パッキン部が枠状ケース部の周縁部に沿って連続して一体に形成されている。
【先行技術文献】
【特許文献】
【０００３】
【特許文献１】特開２００５−３４０６８２号公報
【発明の概要】
【発明が解決しようとする課題】
【０００４】
特許文献１の上ケースにおいて、キーボードに代えて、例えば静電センサを設ける場合、静電センサに水が載ると静電容量が変化し、誤作動が生じるという問題がある。
【０００５】
本発明の課題は、防水ケースの外側を覆う外装ケースを備える筐体構造において、静電センサを設けても、水による誤作動を防止して、タッチセンサとしての機能を確保することである。
【課題を解決するための手段】
【０００６】
以上の課題を解決するため、本発明の電子機器は、
電子部品を内蔵した防水ケースと、前記防水ケースを覆う外装ケースと、を備え、
前記防水ケース内に静電センサが設けられており、
前記防水ケースと前記外装ケースとの間には、前記静電センサに対応する位置を含む密閉された密閉領域が形成されていることを特徴とする。
【発明の効果】
【０００７】
本発明によれば、防水ケースの外側を覆う外装ケースを備える筐体構造において、静電センサを設けても、水による誤作動を防止できて、タッチセンサとしての機能を確保することができる。
【図面の簡単な説明】
【０００８】
【図１】本発明を適用した電子機器の一実施形態の構成を示すもので、対話型学習機を示した正面図（ａ）、背面図（ｂ）である。
【図２】図１の外装ケース内の防水ケースを示す斜視図である。
【図３】図２の防水上ケースを外した状態の図である。
【図４】図１（ａ）上部の拡大縦断面図である。
【図５】図４の静電センサ基板の拡大斜視図である。
【図６】図２上部の拡大分解図である。
【発明を実施するための形態】
【０００９】
以下、図を参照して本発明を実施するための形態を詳細に説明する。
（実施形態）
図１は本発明を適用した電子機器の一実施形態の構成として対話型学習機を示すもので、図１（ａ）は正面、図１（ｂ）は背面を示しており、この対話型学習機は、図示のように、球面形状にキャラクターデザインされている形状の外装ケース１を備える。
外装ケース１には表示部がないため、目のアイコン３と頭頂部の光インジケータ４が設けられる。
【００１０】
図２は外装ケース１内の防水ケース２を示すもので、お風呂でも使用できるＩＰｘ７の防水機構構造をとっているため、基板や各種デバイスなどの電子部品が、防水ケース２の中に配置されている。
【００１１】
外装ケース１は、図１に示すように、内面がクリーム色に塗装された半透光性素材により形成された外装上ケース１Ｕに内部から浮かび上がるような目のアイコン３と頭頂部の光インジケータ４の色が変化もしくは点滅することで、電源ＯＮ／ＯＦＦ、ＷＩＦＩ（登録商標）、ＯＮ／ＯＦＦ、音声再生などを通知する。
外装上ケース１Ｕは、外装下ケース１Ｌの上にネジ止めして取り付けられる。
【００１２】
なお、外装ケース１の外装下ケース１Ｌにマイク孔５が形成されて、その上方の外装上ケース１Ｕ部分には焦電センサカバー６が設けられ、また、外装下ケース１Ｌの背面側には各種操作キー７が設けられている。
【００１３】
防水ケース２は、図示のように、防水下ケース２Ｌに防水上ケース２Ｕを、図略の防水パッキンを挟んでネジ８で結合することで、防水構造を保っている。
【００１４】
また、外装ケース１の外装下ケース１Ｌの下方に突出する三箇所に、ゴム足９が設けられている。このゴム足９は、外装下ケース１Ｌの下方に突出して形成した三箇所の延長部１０を防水下ケース２Ｌにそれぞれネジ止めしてから、延長部１０の下面凹部に嵌め込んで取り付けられる。
【００１５】
そして、防水上ケース２Ｕの上部側面には、左右一対の導光体１１がシリコンによる弾性保持体１２で各々保持されて、ネジ１３でそれぞれ結合されている。
また、防水上ケース２Ｕの頭頂部内には、タッチセンサとしての静電センサ３２及び発光部（ＬＥＤ）３３が設けられている（図４、図５参照）。
【００１６】
図３は防水上ケース２Ｕを外した状態を示すもので、防水下ケース２Ｌの上には、スピーカ１４、リチウムイオン電池１５などの電子部品が積載されて、リチウムイオン電池１５を包むように保持する電池ホルダ１６にメイン基板２１、焦電センサ基板２３、アイ基板２５、及びＷＩＦＩ用の通信基板２７がネジ止め等により積載されており、２４は焦電センサ、２６は発光部（ＬＥＤ）、２８は通信モジュールである。
【００１７】
すなわち、スピーカ１４は、下方に向けて音声を出すもので、その音声は外装下ケース１Ｌ内に設けた図示しない開口から下方に放出される。
スピーカ１４の上にリチウムイオン電池１５が配置されて、その電池ホルダ１６の背面側にメイン基板２１が、電池ホルダ１６の上面側に焦電センサ基板２３が、電池ホルダ１６の正面側上部にアイ基板２５が、電池ホルダ１６の正面側下部に通信基板２７がそれぞれネジ止めされている。
【００１８】
このように、対話型学習機は、人感センサとしての焦電センサ２４、静電センサ３２、通信などの機能を持ち、さまざまなセンサが反応し、光を点灯させる。
すなわち、焦電センサ２４により人体を感知したり、マイク孔５から音声を感知したり、色が変化もしくは点滅して浮かび上がるように光インジケータ４が光る頭頂部を手で触ると、スピーカ１４から音声を発したり、浮かび上がるような目のアイコン３が光ったりする。
具体的には、アイ基板２５に実装した左右一対の発光部２６の光が導光体１１により、内面がクリーム色に塗装された半透光性素材により形成された外装上ケース１Ｕに内部に導光されて、外装上ケース１Ｕに浮かび上がるように目のアイコン３が光る。
【００１９】
次に、図４は図１（ａ）上部の拡大縦断面を示すもので、防水上ケース２Ｕの頭頂部内には、静電センサ基板３１が水平にネジ止めされており、この静電センサ基板３１には、図５に示すように、外側が円形の略Ｕ形状に形成されたセンサ電極パターンによる静電センサ３２が設けられて、中央にＬＥＤによる発光部３３が実装されている。
なお、防水上ケース２Ｕと外装上ケース１Ｕの頭頂部の間は、静電センサ３２及び発光部３３に対応する位置、すなわち、外側が円形の略Ｕ形状に形成されたセンサ電極パターンによる静電センサ３２及びその内方の発光部３３に向かい合った部分を含んで密閉された密閉領域３４となっていて、防水上ケース２Ｕの頭頂部は光が全方向に広がるように上方に突出する球面状のドーム形状部３５に形成されている。
【００２０】
このドーム形状部３５の上に、図６に示すように、乳白色のシリコンによる略円盤状の弾性部材３６が、ドーム形状部３５の外側に形成したパッキン溝３７に嵌め込んで装着される。
この弾性部材３６は、図４に示すように、密閉空間３４に対応して、防水上ケース２Ｕのドーム形状部３５に密着するとともに、外装上ケース１Ｕの頭頂部下面に密着した圧縮状態となって、ドーム形状部３５と外装上ケース１Ｕ頭頂部間の防水状態を維持する。
【００２１】
このように、防水上ケース２Ｕと外装上ケース１Ｕの間にパッキンとしての弾性部材３６を設けることによって、防水上ケース２Ｕの頭頂部内の静電センサ３２は、水が載ると静電容量の変化で生じる誤作動の問題を解消している。
【００２２】
また、発光部３３が防水上ケース２Ｕの中にあるため、発光部３３の光が防水上ケース２Ｕの頭頂部の形状を拾って、均一的な光の拡散をしない問題に対しては、弾性部材３６の実装によって、発光部３３の光が直接外に出るのではなく、発光部３３からの光が半透光性素材による弾性部材３６を通って同じく半透光性素材による外装上ケース１Ｕの頭頂部に拡散して浮かび上がる。
【００２３】
すなわち、ドーム形状部３５から弾性部材３６の乳白色のシリコンの中で光が均一的に拡散し、さらに、内面がクリーム色に塗装された半透光性素材による外装上ケース１Ｕを通り均一的に拡散する。
従って、静電センサ３２がある光インジケータ４の照光が分かりやすくクリアになる。
【００２４】
そして、外装上ケース１Ｕの頭頂部を人体がタッチすると、半透光性素材による外装上ケース１Ｕ及び弾性部材３６を通して静電センサ３２が感応する。
すなわち、防水上ケース２Ｕのドーム形状部３５の静電センサ３２は、図５に示したように、外側が円形の略Ｕ形状に形成されたセンサ電極パターンのため、外装上ケース１Ｕの頭頂部天面をタッチしたときに反応する。
【００２５】
以上、実施形態の対話型学習機によれば、防水上ケース２Ｕと外装上ケース１Ｕの頭頂部間に静電センサ３２に対応する位置を含む密閉された密閉領域３４を形成したため、外装上ケース１Ｕで覆われる防水上ケース２Ｕの頭頂部内に静電センサ３２を設けても、水による誤作動を防止できて、タッチセンサとしての機能を確保することができる。
【００２６】
（変形例）
以上の実施形態においては、対話型学習機としたが、本発明はこれに限定されるものではなく、例えば置時計など他の電子機器であってもよい。
また、防水ケース、外装ケース、静電センサ、発光部、弾性部材の形状等も任意であり、その他、具体的な細部構造等について適宜に変更可能であることは勿論である。
【００２７】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
電子部品を内蔵した防水ケースと、前記防水ケースを覆う外装ケースと、を備え、
前記防水ケース内に静電センサが設けられており、
前記防水ケースと前記外装ケースとの間には、前記静電センサに対応する位置を含む密閉された密閉領域が形成されていることを特徴とする電子機器。
＜請求項２＞
前記静電センサに対応する位置は、前記静電センサに向かい合った部分であることを特徴とする請求項１に記載の電子機器。
＜請求項３＞
前記密閉領域には、前記防水ケースの外側と前記外装ケースの内側との間に密着する弾性部材が設けられていることを特徴とする請求項１または２に記載の電子機器。
＜請求項４＞
前記防水ケース内で前記静電センサの近傍に発光部が配置されていることを特徴とする請求項１から３のいずれか一項に記載の電子機器。
＜請求項５＞
前記防水ケースには、前記密閉領域の内側に位置して前記静電センサ及び発光部を囲むドーム形状部が形成されていることを特徴とする請求項４に記載の電子機器。
＜請求項６＞
前記外装ケースが、半透光性の素材により形成されていることを特徴とする請求項１から５のいずれか一項に記載の電子機器。
＜請求項７＞
前記弾性部材が、半透光性の素材により形成されていることを特徴とする請求項３から６のいずれか一項に記載の電子機器。
＜請求項８＞
前記防水ケースの頭頂部に前記静電センサ及び前記発光部が配置されて、
前記外装ケースの頭頂部を人体がタッチすると、前記半透光性素材による前記外装ケース及び前記弾性部材を通して前記静電センサが感応し、
前記発光部からの光が前記半透光性素材による前記弾性部材を通って前記外装ケースの頭頂部に拡散して浮かび上がることを特徴とする請求項７に記載の電子機器。
【符号の説明】
【００２８】
１  外装ケース
１Ｌ  外装下ケース
１Ｕ  外装上ケース
２  防水ケース
２Ｌ  防水下ケース
２Ｕ  防水上ケース
３  目のアイコン
４  頭頂部の光インジケータ
５  マイク孔
６  焦電センサカバー
７  各種操作キー
８  ネジ
９  ゴム足
１０  延長部
１１  導光体
１２  弾性保持体
１３  ネジ
１４  スピーカ
１５  リチウムイオン電池
１６  電池ホルダ
２１  メイン基板
２３  焦電センサ基板
２４  焦電センサ
２５  アイ基板
２６  発光部（ＬＥＤ）
２７  通信基板
２８  通信モジュール
３１  静電センサ基板
３２  静電センサ（センサ電極パターン）
３３  発光部（ＬＥＤ）
３４  密閉領域
３５  ドーム形状部
３６  弾性部材
３７  パッキン溝
【図１】
2018049917.tif 000003
【図２】
2018049917.tif 000004
【図３】
2018049917.tif 000005
【図４】
2018049917.tif 000006
【図５】
2018049917.tif 000007
【図６】
2018049917.tif 000008